(57)【特許請求の範囲】
【請求項１】
天井に設置されるユニット本体の下部に、コーナー部に開口部が設けられている化粧パネルが着脱自在に装着され、該化粧パネルの前記開口部に、該開口部を閉鎖する閉鎖部材が着脱自在に取り付けられている天井設置型空気調和機において、
前記閉鎖部材の裏面側に、該閉鎖部材により閉鎖された前記開口部裏面側の空間を埋める断熱性ブロックが着脱自在に充填されていることを特徴とする天井設置型空気調和機。
【請求項２】
前記断熱性ブロックは、前記閉鎖部材と一体にブロック化され、該閉鎖部材と共に着脱可能とされていることを特徴とする請求項１に記載の天井設置型空気調和機。
【請求項３】
天井に設置されるユニット本体の下部に、コーナー部に開口部が設けられている化粧パネルが着脱自在に装着され、該化粧パネルの前記開口部に、該開口部を閉鎖する閉鎖部材が着脱自在に取り付けられている天井設置型空気調和機において、
前記閉鎖部材の裏面側に、該閉鎖部材により閉鎖された前記開口部裏面側の空間を遮蔽可能なカバーが前記化粧パネルに対して着脱可能または開閉可能に設置されていることを特徴とする天井設置型空気調和機。
【請求項４】
前記カバーが、前記化粧パネルに対して爪を介して着脱可能に取り付けられていることを特徴とする請求項３に記載の天井設置型空気調和機。
【請求項５】
前記カバーが、前記化粧パネルに対してヒンジを介して上方に開閉可能に取り付けられていることを特徴とする請求項３に記載の天井設置型空気調和機。
【発明の詳細な説明】
【技術分野】
【０００１】
本発明は、天井に設置されるユニット本体の下部に、化粧パネルが着脱自在に装着されている天井設置型空気調和機に関するものである。
【背景技術】
【０００２】
室内の天井に吊り下げ設置される天井設置型空気調和機（天井埋め込み型空気調和機とも云う。）は、矩形状のユニット本体が天井側の梁等に設けられている吊りボルトにより天井から吊り下げ設置され、該ユニット本体に対して中央部に空気吸込み口が設けられるとともに、四方に空気吹出し口が設けられている化粧パネル（天井パネル）が着脱自在に装着されるように構成されている。
【０００３】
このような天井設置型空気調和機において、化粧パネルの４コーナー部には、ユニット本体を天井から吊り下げている吊りボルトに対してメンテナンスやサービス等を行うための略三角形状をなす開口部が設けられている。また、この開口部には、メンテナンスやサービス時以外、開口部を覆い隠すコーナーパネルが着脱自在に取り付けられており、メンテナンスやサービス時には、該コーナーパネルを取り外すことにより、天井裏に設置されている吊りボルトに対し、開口部を介してアクセス可能な構成とされている（例えば、特許文献１，２参照）。
【先行技術文献】
【特許文献】
【０００４】
【特許文献１】特開平７−３２４７６９号公報
【特許文献２】特開２０００−２１３７７１号公報
【発明の概要】
【発明が解決しようとする課題】
【０００５】
上記の天井設置型空気調和機において、ユニット本体や化粧パネルの裏面側は、断熱構造とされ、天井裏側に露出されているユニット本体の表面や化粧パネルの裏面で、天井裏側の空気が結露しないように構成されている。しかしながら、化粧パネルのコーナー部に設けられている開口部を覆い隠すコーナーパネルには、十分な断熱構造が施されていないのが実情である。このため、天井裏側の空気温度と室内側の空気温度との温度差が大きい場合に、コーナーパネルの裏面で結露がしてしまうことがあり、メンテナンスやサービス性を低下させることなく、如何にしてコーナーパネルでの結露を防止するかが課題となっている。
【０００６】
本発明は、このような事情に鑑みてなされたものであって、サービス性を悪化させることなく、化粧パネルコーナー部の開口部を閉鎖する閉鎖部材裏面での結露を防止することができる天井設置型空気調和機を提供することを目的とする。
【課題を解決するための手段】
【０００７】
上記した課題を解決するために、本発明の天井設置型空気調和機は、以下の手段を採用する。
すなわち、本発明にかかる天井設置型空気調和機は、天井に設置されるユニット本体の下部に、コーナー部に開口部が設けられている化粧パネルが着脱自在に装着され、該化粧パネルの前記開口部に、該開口部を閉鎖する閉鎖部材が着脱自在に取り付けられている天井設置型空気調和機において、前記閉鎖部材の裏面側に、該閉鎖部材により閉鎖された前記開口部裏面側の空間を埋める断熱性ブロックが着脱自在に充填されていることを特徴とする。
【０００８】
本発明によれば、化粧パネルのコーナー部に設けられている開口部に、該開口部を閉鎖する閉鎖部材が着脱自在に取り付けられている天井設置型空気調和機にあって、閉鎖部材の裏面側に、該閉鎖部材により閉鎖された開口部裏面側の空間を埋める断熱性ブロックが着脱自在に充填されているため、天井裏側の温度と室内側の温度との温度差が大きい場合でも、閉鎖部材により閉鎖された開口部裏面側の空間に断熱性ブロックが介在されていることから、天井裏側の空気が閉鎖部材の裏面と接触することがなく、閉鎖部材の裏面での結露を抑えることができる。従って、結露によるカビの発生や室内への結露水の滴下を確実に防止することができる。また、ユニット本体を吊り下げているボルトに対するメンテナンスやサービス時には、閉鎖部材および断熱性ブロックを取り外すことにより、開口部を開放して下方からサービス等を行うことができるため、サービス性の悪化を抑制することができる。なお、断熱性ブロックとしては、発砲ゴム、発砲ポリスチレンおよび発砲スチロール等を用いることができる。
【０００９】
さらに、本発明の天井設置型空気調和機は、上記の天井設置型空気調和機において、前記断熱性ブロックは、前記閉鎖部材と一体にブロック化され、該閉鎖部材と共に着脱可能とされていることを特徴とする。
【００１０】
本発明によれば、断熱性ブロックが、閉鎖部材と一体にブロック化され、該閉鎖部材と共に着脱可能とされているため、閉鎖部材を取り外し、開口部から吊りボルトに対してメンテナンスやサービス等を行う際、断熱性ブロックと閉鎖部材とを個別に着脱する必要はなく、一体的に取り扱うことができる。従って、断熱性ブロックを設けたことによる部品数の増加やサービス性の低下を防止することができる。なお、かかるブロック体は、閉鎖部材を形成する表面層を硬化層とし、その裏面側に断熱層となる発砲層を形成した樹脂成形品等によって構成することができる。
【００１１】
さらに、本発明にかかる天井設置型空気調和機は、天井に設置されるユニット本体の下部に、コーナー部に開口部が設けられている化粧パネルが着脱自在に装着され、該化粧パネルの前記開口部に、該開口部を閉鎖する閉鎖部材が着脱自在に取り付けられている天井設置型空気調和機において、前記閉鎖部材の裏面側に、該閉鎖部材により閉鎖された前記開口部裏面側の空間を遮蔽可能なカバーが前記化粧パネルに対して着脱可能または開閉可能に設置されていることを特徴とする。
【００１２】
本発明によれば、化粧パネルのコーナー部に設けられている開口部に、該開口部を閉鎖する閉鎖部材が着脱自在に取り付けられている天井設置型空気調和機にあって、閉鎖部材の裏面側に、該閉鎖部材により閉鎖された開口部裏面側の空間を遮蔽可能なカバーが化粧パネルに対して着脱可能または開閉可能に設置されているため、天井裏側の温度と室内側の温度との温度差が大きい場合でも、閉鎖部材により閉鎖された開口部裏面側の空間が化粧パネルに対して着脱可能または開閉可能に設置されているカバーより遮蔽されていることから、天井裏側の空気が閉鎖部材の裏面と接触することがなく、閉鎖部材の裏面での結露を抑制することができる。従って、結露によるカビの発生や室内への結露水の滴下を確実に防止することができる。また、ユニット本体を吊り下げているボルトに対するメンテナンスやサービス時には、閉鎖部材およびカバーを着脱または開閉することにより、開口部を開放して下方からサービス等を行うことができるため、サービス性の悪化を抑制することができる。
【００１３】
さらに、本発明の天井設置型空気調和機は、上記の天井設置型空気調和機において、前記カバーが、前記化粧パネルに対して爪を介して着脱可能に取り付けられていることを特徴とする。
【００１４】
本発明によれば、カバーが、化粧パネルに対して爪を介して着脱可能に取り付けられているため、閉鎖部材を取り外し、開口部を開放して吊りボルトに対してメンテナンスやサービス等を行う際、爪を化粧パネルから離脱することにより、開口部裏面側の空間を遮蔽しているカバーを簡単に取り外し、開口部を天井裏に対して開放することができる。従って、カバーを設けたことによるサービス性の低下を防止することができる。
【００１５】
さらに、本発明の天井設置型空気調和機は、上記の天井設置型空気調和機において、前記カバーが、前記化粧パネルに対してヒンジを介して上方に開閉可能に取り付けられていることを特徴とする。
【００１６】
本発明によれば、カバーが、化粧パネルに対してヒンジを介して上方に開閉可能に取り付けられているため、閉鎖部材を取り外し、開口部を開放して吊りボルトに対してメンテナンスやサービス等を行う際、ヒンジを支点にカバーを上方に押し開くことにより、開口部裏面側の空間を遮蔽しているカバーを開き、開口部を天井裏に対して開放することができる。従って、カバーを設けたことによるサービス性の低下を防止することができるとともに、カバーをその都度取り外す必要がなく、作業性を向上することができる。
【発明の効果】
【００１７】
本発明の天井設置型空気調和機によると、天井裏側の温度と室内側の温度との温度差が大きい場合でも、閉鎖部材により閉鎖された開口部裏面側の空間に断熱性ブロックが介在されていることから、天井裏側の空気が閉鎖部材の裏面と接触することがなく、閉鎖部材の裏面での結露を抑えることができるため、結露によるカビの発生や室内への結露水の滴下を確実に防ぐことができる。また、ユニット本体を吊り下げているボルトに対するメンテナンスやサービス時には、閉鎖部材および断熱性ブロックを取り外すことにより、開口部を開放して下方からサービス等を行うことができるため、サービス性の悪化を抑制することができる。
【００１８】
また、本発明の天井設置型空気調和機によると、天井裏側の温度と室内側の温度との温度差が大きい場合でも、閉鎖部材により閉鎖された開口部裏面側の空間が化粧パネルに対して着脱可能または開閉可能に設置されているカバーより遮蔽されていることから、天井裏側の空気が閉鎖部材の裏面と接触することがなく、閉鎖部材の裏面での結露を抑制することができるため、結露によるカビの発生や室内への結露水の滴下を確実に防止することができる。また、ユニット本体を吊り下げているボルトに対するメンテナンスやサービス時には、閉鎖部材およびカバーを着脱または開閉することにより、開口部を開放して下方からサービス等を行うことができるため、サービス性の悪化を抑制することができる。
【図面の簡単な説明】
【００１９】
【図１】本発明の第１実施形態に係る天井設置型空気調和機を化粧パネル側から見たコーナー部の開口部を閉鎖する閉鎖部材を取り外した状態の平面図である。
【図２】図１に示す天井設置型空気調和機をユニット本体側から見た外観斜視図である。
【図３】図１に示す天井設置型空気調和機の化粧パネルのコーナー部に設けられている開口部を閉鎖する閉鎖部材を開いている状態の斜視図である。
【図４】図３に示す閉鎖部材を閉じている状態の斜視図である。
【図５】図３に示す化粧パネルのコーナー部に設けられている開口部位置での断面図である。
【図６】本発明の第２実施形態に係る天井設置型空気調和機の化粧パネルのコーナー部に設けられている開口部位置での断面図（Ａ）とその平面視図（Ｂ）である。
【図７】本発明の第３実施形態に係る天井設置型空気調和機の化粧パネルのコーナー部に設けられている開口部位置での断面図（Ａ）とその平面視図（Ｂ）である。
【発明を実施するための形態】
【００２０】
以下に、本発明にかかる実施形態について、図面を参照して説明する。
［第１実施形態］
以下、本発明の第１実施形態について、図１ないし図５を用いて説明する。
図１には、本発明の第１実施形態に係る天井設置型空気調和機を化粧パネル側から見た平面図が示され、図２には、そのユニット本体側から見た外観斜視図が示されている。
天井設置型空気調和機１は、下方が開放されている箱形のユニット本体２と、該ユニット本体の下方開放部側に着脱自在に装着される化粧パネル４とを備えている。
【００２１】
ユニット本体２内には、それぞれ図示省略されている、室内空気を循環させるためのターボファン等の送風機、該送風機の周囲を取り囲むように配置されている熱交換器、該熱交換器の下方部に配置されているドレンパン、前記送風機の吸込み側に室内空気を導くベルマウス、前記ドレンパンに溜まったドレン水を外部に排出するドレンポンプ等が公知の如く配設されている。
【００２２】
また、ユニット本体２の外周の各コーナー部には、コーナー部を面取りしたような形状のコーナー側板２Ａが設けられている。このコーナー側板２Ａには、ユニット本体２を天井の梁等から垂下された吊りボルト（図示省略）に吊り下げ設置するためのフック金具３が設けられており、該フック金具３に吊りボルトを通し、ナットを介して吊りボルトに対する高さ位置を調整することにより、ユニット本体２の天井に対する位置が調整可能に設置されている。更に、コーナー側板２Ａを通して熱交換器に対する冷媒配管やドレンポンプからのドレン配管等が配管されている。
【００２３】
ユニット本体２の下部には、矩形状の化粧パネル（天井パネル）４が着脱自在に取り付けられており、天井面に開けられる空気調和機設置用の開口やその周りの天井面の一部を覆っている。この化粧パネル（天井パネル）４には、その中央部に室内空気を吸込む空気吸込み口５が開口されており、該空気吸込み口５には、吸込みグリル６が設けられるとともに、その内部側にエアフィルタが設置されている。この空気吸込み口５から吸込まれた室内空気は、吸込みグリル６、エアフィルタ、ベルマウスを介して上記送風機に吸入されるようになっている。
【００２４】
また、化粧パネル４の空気吸込み口６の周囲には、上記ユニット本体２内に設けられている熱交換器で冷却または加熱された空気を室内に向って吹出す空気吹出し口７が四方に設けられている。この四方の空気吹出し口７は、ユニット本体２側に形成されている空気吹出し流路と連通されており、上記送風機を介して吹出される温調風を四方向から室内へと吹出す構成とされている。該空気吹出し口７には、温調風の吹出し方向を調整するためのフラップ８が回動可能に設置されている。
【００２５】
さらに、化粧パネル４の４コーナー部には、上記したユニット本体２の吊りボルトに対してアクセスするための開口部９が設けられている。該開口部９は、化粧パネル４を取り付けたまま、吊りボルトに対してアクセス可能な大きさとされている。また、この開口部９は、吊りボルトに対するメンテナンス、サービス用のものであり、それ以外の時には使われることはなく、化粧パネル４の４コーナー部に着脱自在に取り付けられている閉鎖部材１０によって閉鎖されるように構成されている。
【００２６】
閉鎖部材１０は、図３に示されるように、コーナー先端部側に設けられている爪部１１を化粧パネル４のコーナー部に引っ掛けた後、図４に示されるように、化粧パネル４と同一面をなすように内側に倒し、ネジ止め部１２を化粧パネル４にネジ止めすることにより固定されるように構成されている。なお、このネジ止め部１２は、吸込みグリル６と干渉される配置関係となっているため、吸込みグリル６を外さないと、閉鎖部材１０は着脱できない構成とされている。
【００２７】
開口部９の化粧パネル４表面側は、上記の如く閉鎖部材１０で閉鎖されるが、閉鎖部材１０の裏面側には、天井裏側の空気が入り込む空間１３が形成されることになる。本実施形態では、この空間１３に、図５に示されるように、発砲ゴム、発砲ポリスチレン、発砲スチロール等からなる断熱性ブロック１４を充填した構成とし、閉鎖部材１０の裏面が直接天井裏側の空気と接触しないようにしている。
【００２８】
この断熱性ブロック１４は、閉鎖部材１０と別体で構成し、閉鎖部材１０の着脱時に別個に空間１３に対して充填または離脱するようにしてもよいが、閉鎖部材１０との一体成形品としてもよい。なお、一体成形品とする場合には、両者を一体に接着して構成してもよいが、閉鎖部材１０となる表面層を硬化層とし、その裏面側に断熱層となる発砲層を形成した樹脂一体成形品として構成してもよい。
【００２９】
以上に説明の構成により、本実施形態によれば、以下の作用効果を奏する。
上記天井設置型空気調和機１において、室内空気は、化粧パネル４の空気吸込み口５より吸込みグリル６、エアフィルタ、ベルマウスを介して送風機に吸込まれ、放射方向に吹出される。この空気は、熱交換器で冷却または加熱された後、ユニット本体２内の空気吹出し流路を経て化粧パネル４の四方に設けられている吹出し口７からフラップ８により調整された方向に吹出され、室内の空調に供される。
【００３０】
この天井設置型空気調和機１は、梁等から垂下されている吊りボルトにより天井側に吊り下げ設置されており、ユニット本体２および化粧パネル４の天井に対する位置等を調整する際、化粧パネル４のコーナー部に着脱自在に設けられている閉鎖部材１０および断熱性ブロック１４を取り外し、開口部９を天井裏に対して開放することにより、開口部９から吊りボルトおよびナットにアクセスし、所要の作業が行われる。
【００３１】
開口部９は、必要なメンテナンス、サービスが終了後、開口部９により形成される空間１３に断熱性ブロック１４を充填し、その下部を化粧パネル４に爪部１１およびネジ止め部１２を介して着脱自在に取り付けられる閉鎖部材１０で覆って閉鎖することにより、メンテナンス、サービス時以外は室内側から見えないように覆い隠される。なお、この閉鎖部材１０および断熱性ブロック１４の着脱作業は、化粧パネル４の空気吸込み口５に設けられている吸込みグリル６を取り外した状態で行われる。
【００３２】
そして、通常の運転中は、閉鎖部材１０の裏面側の空間１３に断熱性ブロック１４が充填された状態とされていることから、該空間１３に天井裏側の空気が入り込むことがなくなる。これによって、冷房運転時、天井裏側の温度と室内側の温度との温度差が大きい場合でも、室内側の空気で冷却された閉鎖部材１０の裏面に、天井裏側の空気が接触することがなく、閉鎖部材１０の裏面での結露を抑えることができる。
【００３３】
従って、結露に起因するカビの発生や室内への結露水の滴下を確実に防止することができる。また、ユニット本体２を吊り下げているボルトに対するメンテナンスやサービス時には、化粧パネル４の開口部９を覆っている閉鎖部材１０および断熱性ブロック１４を取り外すことにより、開口部９を開放して下方からサービスを行うことができるため、サービス性の悪化を抑制することができる。
【００３４】
また、断熱性ブロック１４を閉鎖部材１０と一体にブロック化した構成とし、該閉鎖部材１０と共に着脱可能とすることにより、閉鎖部材１０を取り外し、開口部９から吊りボルトに対してメンテナンスやサービス等を行う際、断熱性ブロック１４と閉鎖部材１０とを個別に着脱する必要はなく、一体的に取り扱うことが可能となる。従って、断熱性ブロック１４を設けたことによる部品数の増加やサービス性の低下を防止することができる。
【００３５】
［第２実施形態］
次に、本発明の第２実施形態について、図６を用いて説明する。
本実施形態は、上記した第１実施形態に対して、断熱性ブロック１４に代え、空間１３を遮蔽可能なカバーを設けている点が異なる。その他の点については、第１実施形態と同様であるので説明は省略する。
本実施形態では、図６（Ａ），（Ｂ）に示されるように、開口部９により形成される空間１３の上部を遮蔽し、天井裏の空気が空間１３内に入り込まないようにするためのカバー１５を、化粧パネル４に着脱自在に設けた構成としている。該カバー１５は、爪１６，１７を介して化粧パネル４に係止され、着脱可能とされている。
【００３６】
このように、開口部９により形成される空間１３の上部を着脱自在に設けられるカバー１５で遮蔽することによっても、閉鎖部材１０で閉鎖された空間１３に天井裏の空気が入り込み、閉鎖部材１０の裏面と接触する事態を回避することができる。これにより、天井裏側の温度と室内側の温度との温度差が大きい場合でも、天井裏側の空気が冷却された閉鎖部材１０の裏面と接触することがなく、閉鎖部材１０の裏面での結露を抑制することができる。
【００３７】
従って、本実施形態によっても、第１実施形態と同様、結露によるカビの発生や室内への結露水の滴下を確実に防止することができる。また、ユニット本体２を吊り下げているボルトに対するメンテナンスやサービス時には、閉鎖部材１０およびカバー１５を着脱することにより、開口部９を開放して下方からサービス等を行うことができるため、サービス性の悪化を抑制することができる。
【００３８】
［第３実施形態］
次に、本発明の第３実施形態について、図７を用いて説明する。
本実施形態は、上記した第２実施形態に対して、空間１３を遮蔽可能なカバー１５Ａをヒンジにより開閉可能に設けている点が異なる。その他の点については、第１および第２実施形態と同様であるので説明は省略する。
本実施形態では、図７（Ａ），（Ｂ）に示されるように、開口部９により形成される空間１３の上部を遮蔽し、天井裏の空気が空間１３内に入り込まないようにするためのカバー１５Ａを化粧パネル４に対してヒンジ１８を介して開閉自在に設けた構成としている。このカバー１５Ａは、ヒンジ１８を支点として上方に開閉可能とされている。
【００３９】
このように、開口部９により形成される空間１３の上部を開閉可能に設けられたカバー１５Ａで遮蔽することによっても、閉鎖部材１０で閉鎖された空間１３に天井裏の空気が入り込み、閉鎖部材１０の裏面と接触する事態を避けることができる。これにより、天井裏側の温度と室内側の温度との温度差が大きい場合でも、天井裏側の空気が冷却された閉鎖部材１０の裏面と接触することがなく、閉鎖部材１０の裏面での結露を抑制することができる。
【００４０】
従って、本実施形態によっても、第１および第２実施形態と同様、結露によるカビの発生や室内への結露水の滴下を確実に防止することができる。また、ユニット本体２を吊り下げているボルトに対するメンテナンスやサービス時には、閉鎖部材１０を着脱し、カバー１５Ａを開閉することにより、開口部９を開放して下方からサービス等を行うことができるため、サービス性の悪化を抑制することができる。更に、カバー１５Ａをその都度取り外す必要がなく、作業性を向上することができる。
【００４１】
なお、本発明は、上記実施形態にかかる発明に限定されるものではなく、その要旨を逸脱しない範囲において、適宜変形が可能である。例えば、上記実施形態では、開口部９の形状が概略三角形状あるいは扇形形状とされているが、特に開口部９の形状は限定されるものではなく、出来るだけ作業しやすい形状とされる。
また、開口部９は、本体ユニット２を吊り下げ設置する吊りボルトおよびナットへのアクセス用とされているが、冷媒配管やドレン配管に対するアクセス用に兼用できるように構成してもよいことはもちろんである。
【符号の説明】
【００４２】
１  天井設置型空気調和機
２  ユニット本体
３  フック金具
４  化粧パネル
９  開口部
１０  閉鎖部材
１３  空間
１４  断熱性ブロック
１５，１５Ａ  カバー
１６，１７  爪
１８  ヒンジ
【図１】
0005517673.tif 000002
【図２】
0005517673.tif 000003
【図３】
0005517673.tif 000004
【図４】
0005517673.tif 000005
【図５】
0005517673.tif 000006
【図６】
0005517673.tif 000007
【図７】
0005517673.tif 000008